【手続補正書】
【提出日】平成16年6月21日(2004.6.21)
【手続補正１】
【補正対象書類名】明細書
【補正対象項目名】特許請求の範囲
【補正方法】変更
【補正の内容】
【特許請求の範囲】
【請求項１】
磁気ディスクに対して情報の記録、読み出しを行う磁気ヘッドを支持したサスペンションと、上記サスペンションを支持したアームと、上記アームを回動自在に支持した支持部と、上記アームを回動させるための駆動力を発生する駆動部と、を備え、
上記駆動部は、駆動コイルと、駆動コイルを構成する線材の熱膨張係数よりも大きな熱膨張係数を有する樹脂により上記駆動コイルの外周側に一体的に成形され、上記駆動コイルを保持した保持枠と、を備えていることを特徴とするヘッドアクチュエータ。
【請求項２】
磁気ディスクに対して情報の記録、読み出しを行う磁気ヘッドを支持したサスペンションと、上記サスペンションを支持したアームと、上記アームを回動自在に支持した支持部と、上記アームを回動させるための駆動力を発生する駆動部と、を備え、
上記駆動部は、駆動コイルと、樹脂により上記駆動コイルの外周側に一体的に成形され、上記駆動コイルを保持した保持枠と、を備え
上記保持枠は、上記駆動コイルの厚さよりも小さな厚さを有しているとともに、上記駆動コイルを構成する線材の熱膨張係数よりも大きな熱膨張係数を有する樹脂により形成されていることを特徴とするヘッドアクチュエータ。
【請求項３】
磁気ディスクに対して情報の記録、読み出しを行う磁気ヘッドを支持したサスペンションと、上記サスペンションを支持したアームと、上記アームを回動自在に支持した支持部と、上記アームを回動させるための駆動力を発生する駆動部と、を備え、
上記駆動部は、駆動コイルと、樹脂により上記駆動コイルの外周側に一体的に成形され、上記駆動コイルを保持した保持枠と、を備え
上記保持枠は、上記駆動コイルの厚さよりも、上記駆動コイルを構成する線材の直径の２倍以上小さい厚さを有していることを特徴とするヘッドアクチュエータ。
【請求項４】
磁気ディスクに対して情報の記録、読み出しを行う磁気ヘッドを支持したサスペンションと、上記サスペンションを支持したアームと、上記アームを回動自在に支持した支持部と、上記アームを回動させるための駆動力を発生する駆動部と、を備え、
上記駆動部は、駆動コイルと、駆動コイルを構成する線材の熱膨張係数よりも小さな熱膨張係数を有する樹脂により上記駆動コイルの内周側に一体的に成形され、上記駆動コイルを保持した保持枠と、を備えていることを特徴とするヘッドアクチュエータ。
【請求項５】
磁気ディスクに対して情報の記録、読み出しを行う磁気ヘッドを支持したサスペンションと、上記サスペンションを支持したアームと、上記アームを回動自在に支持した支持部と、上記アームを回動させるための駆動力を発生する駆動部と、を備え、
上記駆動部は、駆動コイルと、樹脂により上記駆動コイルの内周側に一体的に成形され、上記駆動コイルを保持した保持枠と、を備え、
上記保持枠は、上記駆動コイルの厚さ以下の厚さを有しているとともに、上記駆動コイルを構成する線材の熱膨張係数よりも小さな熱膨張係数を有する樹脂により形成されていることを特徴とするヘッドアクチュエータ。
【請求項６】
上記駆動部は、上記駆動コイルに接続された給電端子を有し、樹脂により上記保持枠と一体的に成形されたコネクタを備えていることを特徴とする請求項１ないし５のいずれか１項に記載のヘッドアクチュエータ。
【請求項７】
上記支持部に取付られた板状の保持部を備え、上記駆動部は、上記アームから離間する方向に沿って上記駆動部から延出し、
上記保持枠は、上記保持部に一体に成形された取付け部を有していることを特徴とする請求項１ないし６のいずれか１項に記載のヘッドアクチュエータ。
【請求項８】
磁気ディスクと、
磁気ディスクを支持および回転駆動する駆動手段と、
磁気ディスクに対して情報の記録、読み出しを行う磁気ヘッドと、
上記磁気ヘッドを支持したサスペンションと、上記サスペンションを支持したアームと、上記アームを回動自在に支持した支持部と、上記アームを回動させるための駆動力を発生する駆動部と、を有するヘッドアクチュエータと、を備え、
上記ヘッドアクチュエータの駆動部は、駆動コイルと、樹脂により上記駆動コイルの外周側に一体的に成形され、上記駆動コイルを保持した保持枠と、を備え
上記保持枠は、上記駆動コイルの厚さよりも小さな厚さを有しているとともに、上記駆動コイルを構成する線材の熱膨張係数よりも大きな熱膨張係数を有する樹脂により形成されていることを特徴とする磁気ディスク装置。
【請求項９】
磁気ディスクと、
磁気ディスクを支持および回転駆動する駆動手段と、
磁気ディスクに対して情報の記録、読み出しを行う磁気ヘッドと、
上記磁気ヘッドを支持したサスペンションと、上記サスペンションを支持したアームと、上記アームを回動自在に支持した支持部と、上記アームを回動させるための駆動力を発生する駆動部と、を有するヘッドアクチュエータと、を備え、
上記駆動部は、駆動コイルと、樹脂により上記駆動コイルの内周側に一体的に成形され、上記駆動コイルを保持した保持枠と、を備え
上記保持枠は、上記駆動コイルの厚さ以下の厚さを有しているとともに、上記駆動コイルを構成する線材の熱膨張係数よりも小さな熱膨張係数を有する樹脂により形成されていることを特徴とする磁気ディスク装置。
【手続補正２】
【補正対象書類名】明細書
【補正対象項目名】００１０
【補正方法】変更
【補正の内容】
【００１０】
【課題を解決するための手段】
上記目的を達成するため、この発明に係るヘッドアクチュエータは、磁気ディスクに対して情報の記録、読み出しを行う磁気ヘッドを支持したサスペンションと、上記サスペンションを支持したアームと、上記アームを回動自在に支持した支持部と、上記アームを回動させるための駆動力を発生する駆動部と、を備え、  
上記駆動部は、駆動コイルと、駆動コイルを構成する線材の熱膨張係数よりも大きな熱膨張係数を有する樹脂により上記駆動コイルの外周側に一体的に成形され、上記駆動コイルを保持した保持枠と、を備えていることを特徴としている。
【手続補正３】
【補正対象書類名】明細書
【補正対象項目名】００１２
【補正方法】変更
【補正の内容】
【００１２】
この発明に係る磁気ディスク装置は、磁気ディスクと、磁気ディスクを支持および回転駆動する駆動手段と、磁気ディスクに対して情報の記録、読み出しを行う磁気ヘッドと、上記磁気ヘッドを支持したサスペンションと、上記サスペンションを支持したアームと、上記アームを回動自在に支持した支持部と、上記アームを回動させるための駆動力を発生する駆動部と、を有するヘッドアクチュエータと、を備え、  
上記ヘッドアクチュエータの駆動部は、駆動コイルと、樹脂により上記駆動コイルの外周側に一体的に成形され、上記駆動コイルを保持した保持枠と、を備え
上記保持枠は、上記駆動コイルの厚さよりも小さな厚さを有しているとともに、上記駆動コイルを構成する線材の熱膨張係数よりも大きな熱膨張係数を有する樹脂により形成されていることを特徴としている。
【手続補正４】
【補正対象書類名】明細書
【補正対象項目名】００１６
【補正方法】変更
【補正の内容】
【００１６】
また、この発明に係る他のヘッドアクチュエータは、磁気ディスクに対して情報の記録、読み出しを行う磁気ヘッドを支持したサスペンションと、上記サスペンションを支持したアームと、上記アームを回動自在に支持した支持部と、上記アームを回動させるための駆動力を発生する駆動部と、を備え、  
上記駆動部は、駆動コイルと、駆動コイルを構成する線材の熱膨張係数よりも小さな熱膨張係数を有する樹脂により上記駆動コイルの内周側に一体的に成形され、上記駆動コイルを保持した保持枠と、を備えていることを特徴としている。
【手続補正５】
【補正対象書類名】明細書
【補正対象項目名】００１８
【補正方法】変更
【補正の内容】
【００１８】
この発明に係る他の磁気ディスク装置は、磁気ディスクと、磁気ディスクを支持および回転駆動する駆動手段と、磁気ディスクに対して情報の記録、読み出しを行う磁気ヘッドと、上記磁気ヘッドを支持したサスペンションと、上記サスペンションを支持したアームと、上記アームを回動自在に支持した支持部と、上記アームを回動させるための駆動力を発生する駆動部と、を有するヘッドアクチュエータと、を備え、  
上記駆動部は、駆動コイルと、樹脂により上記駆動コイルの内周側に一体的に成形され、上記駆動コイルを保持した保持枠と、を備え、  
上記保持枠は、上記駆動コイルの厚さ以下の厚さを有しているとともに、上記駆動コイルを構成する線材の熱膨張係数よりも小さな熱膨張係数を有する樹脂により形成されていることを特徴としている。